(57)【要約】 【課題】  壁面部から底面部に雨水などを回り込ませて、底面部が壁面部よりも著しく早期に腐食するなどして内部に収容する材料が漏れてしまうことを回避することにより、メンテナンス期間を長期化することのできる屋外設置機器の下部構造を提供すること。【解決手段】  床面や地面に底面部１２が接触しないように底上げされているバランサ１０であって、容器１１の底面部１２は正背面部１３の一方から他方に向かって傾斜する傾斜面に形成するとともに、正背面部１３は支持部を省略して底面部１２に連続させる一方、側面部１４は従来と同様に下方に延長して支持部１５とする。そして、容器１１の外面は塗装するとともに、少なくとも底面部１２の全面と支持部１５の内面には光触媒材料が付着する塗膜を形成する。【選択図】      図２
2007059707.tif 000002
【特許請求の範囲】
【請求項１】
床面や地面などの載置面に一時的あるいは長期に亘って載置される際に、底面部を該載置面に接触しないように支持する支持部を備えて、屋外に設置される機器の下部の構造であって、
機器の壁面部を流れる水が該壁面部から底面部に回り込もうとすることを制限しないように支持部が形成されているとともに、少なくとも該底面部に光触媒材料が付着されていることを特徴とする屋外設置機器の下部構造。
【請求項２】
前記底面部が一方から他方に向かって傾斜する傾斜面に形成されていることを特徴とする請求項１に記載の屋外設置機器の下部構造。
【請求項３】
前記底面部が壁面部間の途中で最下となる箇所を有する傾斜面に形成されていることを特徴とする請求項１に記載の屋外設置機器の下部構造。
【請求項４】
前記底面部が壁面部間に最下となる箇所を有する湾曲面に形成されていることを特徴とする請求項１に記載の屋外設置機器の下部構造。
【請求項５】
前記壁面部間は概略角形状を介して連続しており、
前記支持部は底面部の傾斜方向の側方に位置する壁面部を延長した部材により構成されていることを特徴とする請求項２または３に記載の屋外設置機器の下部構造。
【請求項６】
前記壁面部は水平方向の断面形状が略円形に形成されており、
前記支持部は底面部の周縁の複数箇所に位置するように配置されていることを特徴とする請求項４に記載の屋外設置機器の下部構造。
【発明の詳細な説明】
【技術分野】
【０００１】
本発明は、屋外設置機器の下部構造に関し、詳しくは、機器の表面への付着物により汚損し易い底面部に、他の壁面部などと同様の耐久性を持たせることのできるものに関する。
【背景技術】
【０００２】
従来より、屋外の電柱などにも各種機器が設置されており、例えば、発電所からの送電線を接続されて各家庭などで利用可能な低圧に変換する変圧器や、その変圧器からの低圧電線を接続されて負荷の不平衡を是正するバランサなどが設置されている。
【０００３】
この変圧器やバランサなどの屋外設置機器は、金属製の容器内に絶縁性を確保するために絶縁油が収容されており、この容器の外面には腐食防止のために塗料などが塗られている。
【０００４】
しかしながら、このような従来の変圧器やバランサなどの屋外設置機器にあっては、底面部が傷ついて腐食が進むことにより内部の収容材料が漏れてしまわないように設計されており、例えば、図６に示すバランサ１００では、底面部１０２が底上げ形状に設計されており、正背面部（正面側と背面側の壁面部）１０３と側面部（側面側の壁面部）１０４の双方（全周）を立ち下げて（延長して）形成した部材により支持部１０５が構成されている。
【０００５】
このような底上げ形状の支持部１０５が底面部１０２の周縁に形成されてしまうと、例えば、沿岸部に設置されたものでは、正背面部１０３や側面部１０４に塩分を含む海水の飛沫などが付着したとしても雨水などで洗い流されて大きな問題にはならないが、その底面部１０２にはその周縁の支持部１０５が妨げとなって雨水が回り込むことができない。このために、このバランサ１００では、付着した海水などに含まれる塩分で腐食が促進されて早期に収容する絶縁油（収容材料）が漏れてしまう恐れがある。このことから、変圧器やバランサなどの屋外設置機器では、頻繁に塗装のし直しや交換が必要になってコストが掛かってしまう、という問題があった。
【０００６】
ここで、屋外設置機器の外装には、手間なく清浄に保つことができるように、光触媒機能を付与することが提案されており（例えば、特許文献１、２参照）、変圧器やバランサなどのように、収容する絶縁油が外部に漏れてしまわないように光触媒機能を持たせることが考えられる。
【０００７】
しかるに、底上げ形状にするための支持部１０５が底面部１０２の周縁に形成されてしまうと、光触媒機能で分解等された付着物を雨水で洗い流すことができずに、その光触媒機能による効果を十分に得ることができない、という問題がある。
【特許文献１】特開２００２−１７２３３２号公報
【特許文献２】特開２００５−    ６６９６号公報
【発明の開示】
【発明が解決しようとする課題】
【０００８】
そこで、本発明は、壁面部から底面部に雨水などが回り込ませて、底面部が壁面部よりも著しく早期に腐食するなどして内部に収容する材料が漏れてしまうことを回避することにより、メンテナンス期間を長期化することのできる屋外設置機器の下部構造を提供することを目的とする。
【課題を解決するための手段】
【０００９】
上記課題を解決する屋外設置機器の下部構造の第１の発明は、床面や地面などの載置面に一時的あるいは長期に亘って載置される際に、底面部を該載置面に接触しないように支持する支持部を備えて、屋外に設置される機器の下部の構造であって、機器の壁面部を流れる水が該壁面部から底面部に回り込もうとすることを制限しないように支持部が形成されているとともに、少なくとも該底面部に光触媒材料が付着されていることを特徴とするものである。
【００１０】
この発明では、底面部に付着する物質を光触媒機能により分解させることができ、また、機器の壁面部を流れる水が支持部により制限されることなく、例えば、支持部間から光触媒材料の付着する底面部に回り込んでその底面部に付着する分解物質を容易に洗い流すことができる。したがって、底面部の光触媒による付着物質の分解機能を有効に働かせて、その底面部も壁面部と同等近くの清浄な状態に手間なくすることができる。
【００１１】
上記課題を解決する屋外設置機器の下部構造の第２の発明は、上記第１の発明の特定事項に加え、前記底面部が一方から他方に向かって傾斜する傾斜面に形成されていることを特徴とするものである。
【００１２】
この発明では、機器の壁面部を流れる雨水などが、傾斜する底面部の表面を上部から下部に向かって流れる。したがって、底面部が水平であるために、効率よく雨水をその表面の全面に流すことができずに、その底面部の清浄化にムラができてしまうことを防止して、底面部に残る付着物により腐食等してしまうことを効果的に回避することができる。
【００１３】
上記課題を解決する屋外設置機器の下部構造の第３の発明は、上記第１の発明の特定事項に加え、前記底面部が壁面部間の途中で最下となる箇所を有する傾斜面に形成されていることを特徴とするものである。
【００１４】
この発明では、機器の壁面部を流れる雨水などが、内方に向って降下する傾斜面の底面部の表面を両側の上部からその中間の下部に向かって流れる。したがって、底面部が水平であるために、効率よく雨水をその表面の全面に流すことができずに、その底面部の清浄化にムラができてしまうことを防止して、底面部の両側の壁面部を流れる雨水などを有効に回り込ませて利用することにより、底面部に残る付着物により腐食等してしまうことをより効果的に回避することができる。
【００１５】
上記課題を解決する屋外設置機器の下部構造の第４の発明は、上記第１の発明の特定事項に加え、前記底面部が壁面部間に最下となる箇所を有する湾曲面に形成されていることを特徴とするものである。
【００１６】
この発明では、機器の壁面部を流れる雨水などが、内方に向って降下する形状で湾曲する底面部の表面をその上部からその中心に向かって流れる。
したがって、底面部が水平であるために、効率よく雨水をその表面の全面に流すことができずに、その底面部の清浄化にムラができてしまうことを防止して、底面部の周囲の壁面部を流れる雨水などを有効に回り込ませて利用することにより、底面部に残る付着物により腐食等してしまうことをより効果的に回避することができる。
【００１７】
上記課題を解決する屋外設置機器の下部構造の第５の発明は、上記第２または第３の発明の特定事項に加え、前記壁面部間は概略角形状を介して連続しており、前記支持部は底面部の傾斜方向の側方に位置する壁面部を延長した部材により構成されていることを特徴とするものである。
【００１８】
この発明では、角柱形状などの外形に形成された壁面部を下方に延在させることにより作製する支持部を、その一部の壁面部だけを延在させることにより、支持部のない部分を形成して壁面部から連続する底面部にすることができる。したがって、壁面部から底面部に雨水などが回り込むことを制限することのない支持部を、簡易かつ容易に作製することができる。
【００１９】
上記課題を解決する屋外設置機器の下部構造の第６の発明は、上記第４の発明の特定事項に加え、前記壁面部は水平方向の断面形状が略円形に形成されており、前記支持部は底面部の周縁の複数箇所に位置するように配置されていることを特徴とするものである。
【００２０】
この発明では、円柱形状などの外形に形成された壁面部の一部を下方に延在させることにより底面部の周縁の複数箇所に位置する支持部を形成したり、あるいは、その底面部の周縁に支持部を別個に配置することにより、支持部のない部分を形成して壁面部から連続する底面部にすることができる。したがって、壁面部から底面部に雨水などが回り込むことを制限することのない支持部を、簡易かつ容易に作製することができる。
【発明の効果】
【００２１】
このように本発明によれば、底面部の付着物質を光触媒により分解させるとともに、その底面部の分解後の物質を、機器の壁面部を流れる水を回り込ませて洗い流すことができ、光触媒による分解機能を有効に働かせて底面部も壁面部と同等近くの清浄な状態に手間なくすることができる。したがって、底面部が壁面部よりも著しく早期に腐食することをなくすことができ、その内部に収容する材料が漏れてしまうことを回避することができる。この結果、屋外設置機器を清掃するなどのメンテナンス期間を長期化することができ、また、その屋外設置機器が汚損してしまうことを防止することができる。
【発明を実施するための最良の形態】
【００２２】
以下、本発明の最良の実施形態を図面に基づいて説明する。図１および図２は本発明に係る屋外設置機器の下部構造の第１実施形態を示す図である。
【００２３】
図１において、バランサ１０は、電柱１の腕金２に吊り下げられた屋外設置機器であり、このバランサ１０は、発電所から供給される電力を各家庭などで利用可能な低圧に変換する不図示の変圧器に低圧電線３を介して接続することにより、各家庭の負荷によらない安定した電力供給を実現するために設置されている。
【００２４】
バランサ１０は、金属製の容器１１内に装置本体を浸漬する絶縁油が収容されており、この容器１１は、正背面部（正面側と背面側の壁面部）１３と側面部（側面側の壁面部）１４が概略角形状で連続する概略角柱形状に形成されている。
【００２５】
このバランサ１０は、容器１１内に収容する絶縁油が腐食により漏れてしまわないように、その容器１１の外面に塗装が施されており、また、搬送・保管時に床面や地面に載置する際に底面部１２が直接床面などに接触して傷つくことにより腐食が進むことを回避するために、図６に示すバランサ１００と同様に底上げ形状に形成されている。
【００２６】
さらに、このバランサ１０は、正背面部１３が下方に延長されることなく底面部１２に連続する形状に設計される一方、側面部１４が底面部１２よりも下方まで立ち下げられて（延長されて）支持部１５を構成する底上げ形状に形成されており、その底面部１２は、正背面部１３間で、例えば、正面側の一方から背面側の他方に向って傾斜している。すなわち、このバランサ１０は、傾斜面に形成された底面部１２の傾斜方向の側方に位置する側面部１４を延長して支持部１５が作製されており、正背面部１３は角形状１２ａ、１２ｂを介して底面部１２に連続している。
【００２７】
これにより、側面部１４のみを下方に延長することにより支持部１５として機能させる簡易に設計可能な形状で、底面部１２を床面などに接触させないように支持することができる。また、正背面部１３を傾斜する底面部１２に連続する形状にすることにより、その正背面部１３の一方（ここでは、正面側）の表面に流れる雨水などを積極的に（妨げなく）底面部１２の表面に回り込ませてその表面に付着する不要物を傾斜方向に向かって洗い流すことができ、例えば、沿岸部に設置されたために塩分を含む海水の飛沫などが付着して残留していたとしても、その雨水などで洗い流して清浄にすることができる。
【００２８】
加えて、このバランサ１０は、少なくとも底面部１２の全面と支持部１５の内面に二酸化チタンによる光触媒機能を有する被覆が形成されており、例えば、上記文献２に記載の光触媒のように、アパタイトにより被覆された二酸化チタンの粉末が、容器１１の外面に塗装した塗膜が乾燥する前に吹き付けられて光触媒機能を付与される。なお、光触媒機能を有する材料や付与する作業は、これに限るものではなく、二酸化チタン以外の材料であってもよく、また、光触媒材料を混合した塗料内に底面部１２が浸漬する程度に浸けて付着させる作業であってもよい。
【００２９】
これにより、底面部１２などに光触媒機能を付与してその表面の付着物を分解して付着力を弱めることができ、例えば、塩分を含む海水など付着物でも分解して正背面部１３の一方から回り込んでその表面を流れる雨水などでより効果的に洗い流して清浄にすることができる。
【００３０】
このように本実施形態においては、底面部１２の付着物を光触媒により分解させて容器１１の正背面部１３の表面を流れる雨水などをその底面部１２に回り込ませて洗い流すことができ、光触媒機能を有効に働かせて正背面部１３などと同様に底面部１２や支持部１５の内面も洗い流して清浄にすることができる。したがって、底面部１２などが正背面部１３や側面部１４などよりも著しく早期に腐食して、バランサ１０の容器１１内に収容する絶縁油が汚損により漏れてしまうことをなくすことができ、頻繁に塗装し直す必要をなくしてメンテナンス費用を削減することができる。
【００３１】
ここで、本実施形態では、底面部を傾斜させる場合を説明するが、例えば、傾斜していない底面部を正背面部または側面部の一方に連続させるだけの構造にしても、ある程度の効果を期待することができるが、雨水などを積極的に回り込ませてムラなく洗い流すことができることから、本実施形態や以下で説明する他の実施形態のように構成する方が好ましい。
【００３２】
次に、図３は本発明に係る屋外設置機器の下部構造の第２実施形態を示す図である。ここで、本実施形態は、上述実施形態と略同様に構成されているので、同様な構成には同一の符号を付して特徴部分を説明する。
【００３３】
図３において、バランサ１０は、正背面部１３の両面から内方に向かうほど降下するように屋根形状の上下を反転させた斜面の底面部２２が形成されており、この底面部２２は、正背面部１３の両面が角形状２２ａを介して連続し、その正背面部１３間の途中で最下となる頂角２２ｂを有するように形成されている。また、このバランサ１０の少なくとも底面部１２の全面と支持部１５の内面には、上述実施形態と同様に、二酸化チタンによる光触媒機能を有する塗膜が形成されている。
【００３４】
これにより、本実施形態では、正背面部１３の一方の表面を流れる雨水などだけではなく、正背面部１３の両面に流れる雨水などを底面部２２の表面に双方から積極的に回り込ませて、その底面部２２の表面の付着物を中央の頂角２２ｂに向かって効率よく洗い流すことができ、例えば、上述実施形態と同様に、光触媒機能により分解された塩分を含む海水などの付着物でもその雨水などで効果的に洗い流して清浄にすることができる。
【００３５】
このように本実施形態においては、上述実施形態と同様の作用効果に加えて、正背面部１３の両面の表面を流れる雨水などをその両側から底面部２２の表面に回り込ませることができ、その表面の付着物をより効果的に洗い流すことができる。したがって、底面部２２などの腐食をより効果的に防止することができ、バランサ１０の容器１１内に収容する絶縁油が漏れる恐れをより信頼性高くなくすことができる。
【００３６】
次に、図４は本発明に係る屋外設置機器の下部構造の第３実施形態を示す図である。
図４において、変圧器３０は、上述実施形態におけるバランサ１０と同様に、電柱１の腕金２上に載置されて支持されている屋外設置機器であり、この変圧器３０は、発電所からの供給電力を各家庭などで利用可能な低圧に変換する。
【００３７】
変圧器３０は、バランサ１０と同様に、壁面部３３が断面円形の円筒形状に形成された金属製の容器３１内に装置本体を浸漬する絶縁油が収容されており、この容器３１は、内部に収容する絶縁油が腐食により漏れてしまわないように、外面が塗装されているとともに、搬送・保管時に床面や地面に載置する際に底面部１２が直接床面などに接触して傷つくことにより腐食が進むことを回避するために、バランサ１０と同様に底上げ形状に形成されている。
【００３８】
さらに、この変圧器３０の底面部３２は、壁面部３３から内方に向かうほど降下して最下の位置に頂面３３ｂとなる球状の湾曲面に形成されており、その底面部３２の周縁の均等間隔の４箇所（３箇所以上の複数箇所であれば良い）の壁面部３３がその最下の頂面３３ｂよりも下方まで立ち下げられて（延長されて）支持部３５が形成されている。すなわち、壁面部３３は、支持部３５間で底面部３２に周縁３２ａを介して連続する（下方に延長することのない）形状に形成されている。
【００３９】
また、この変圧器３０の少なくとも底面部３２の全面と支持部３５の内面には、上述実施形態と同様に、二酸化チタンによる光触媒機能を有する塗膜が形成されている。
【００４０】
これにより、壁面部３３の一部のみを下方に延長することにより支持部３５として機能させる簡易に設計可能な形状で、底面部３２を床面などに接触させないように支持することができる。また、壁面部３３をその底面部３２に連続する形状にすることにより、その壁面部３３の表面に流れる雨水などを積極的に（妨げなく）底面部３２の表面に回り込ませてその表面の付着物を頂面３３ｂに向かって洗い流すことができ、例えば、上述実施形態と同様に、光触媒機能により分解された塩分を含む海水などの付着物でもその雨水などで効果的に洗い流して清浄にすることができる。
【００４１】
このように本実施形態においては、変圧器３０でも上述実施形態と同様の作用効果を得ることができ、底面部３２などの腐食を効果的に防止することができる。したがって、容器３１内に収容する絶縁油が漏れる恐れを信頼性高くなくすことができる。
【００４２】
ここで、本実施形態の他の態様としては、図５に示すように、本実施形態の支持部３５に代えて、底面部３２の中心からの法線方向に沿うように立設された支持部４５を、同様な箇所に配設してもよい。この場合には、同様な作用効果を得ることができるとともに、その支持部４５には内面となる部分がないことからその表面からも付着物をスムーズに洗い流すことができる。
【産業上の利用可能性】
【００４３】
これまで本発明の一実施形態について説明したが、本発明は上述の実施形態に限定されず、その技術的思想の範囲内において種々異なる形態にて実施されてよいことは言うまでもない。例えば、本実施形態では、バランサや変圧器の下部にのみ光触媒機能を付与しているが、これに限るものではなく、全面に付与してもよいことは言うまでもない。
【図面の簡単な説明】
【００４４】
【図１】本発明に係る屋外設置機器の下部構造の第１実施形態を示す図であり、その屋外設置機器の一例であるバランサの設置状態を示す立面図である。
【図２】そのバランサの下部の構成を示す図であり、（ａ）はその正面図、（ｂ）はその側面図である。
【図３】本発明に係る屋外設置機器の下部構造の第２実施形態を示す図であり、（ａ）はその屋外設置機器の一例であるバランサの下部構成の正面図、（ｂ）はその側面図である。
【図４】本発明に係る屋外設置機器の下部構造の第３実施形態を示す図であり、（ａ）はその屋外設置機器の一例である変圧器の下部構成の正面図、（ｂ）はその側面図である。
【図５】その第３実施形態の他の態様を示す図であり、（ａ）はその正面図、（ｂ）はその側面図である。
【図６】その従来技術のバランサの下部構造を示す図であり、その下方斜めから見た斜視図である。
【符号の説明】
【００４５】
１……電柱    ２……腕金    ３……低圧電線    １０……バランサ    １１、３１……容器    １２ａ、１２ｂ、２２ａ……角形状    １２、２２、３２……底面部    １３……正背面部    １４……側面部    １５、２５、３５、４５……支持部    ２２ｂ……頂角    ３０……変圧器    ３２ａ……周縁    ３３ｂ……頂面    ３３……壁面部
【図１】
2007059707.tif 000003
【図２】
2007059707.tif 000004
【図３】
2007059707.tif 000005
【図４】
2007059707.tif 000006
【図５】
2007059707.tif 000007
【図６】
2007059707.tif 000008